(57)【要約】本発明は、移行ゾーン（１５２）を介して実質的に平面状頭部（１５１）が一体的に形成された地面係合矢尻スパイク部（１５０）を有するティーが提供される。移行ゾーン（１５２）には、コードによって物品と連結できるように、（１５３）において貫通した孔があけられている。実質的に平面状頭部（１５１）は、六角形であって、六角形に配置された実質的に平行な剛毛ふさ（１５４）の単一の環状配列を有しており、剛毛ふさ（１５４）は、より固い剛毛の中央ボール支持ふさ（１５５）を取り囲んでいる。実質的に平面状頭部（１５１）は、Ｏリングなどを任意に受容し得る周辺インパクト分配溝（１５６）を有するゴルフティーおよび付属品。
2005528150.tif 000002
【特許請求の範囲】
【請求項１】
地面係合スパイク部を有する本体部材と、弾性ボール載せ部材を係合するのに適合した上方部と、を有し、前記ボール載せ部材は、剛毛ふさの環状配列が設けられた上面を有し、前記上方部は、前記環状配列の内側の実質的に中央で、前記ボール載せ部材を通って伸び、前記剛毛ふさでゴルフボール用支持を形成してなるゴルフティー。
【請求項２】
前記上方部および弾性ボール載せ部材は、相互補完的な外形を有し、当該相互補完的な外形が相互にパチンとスナップするまで前記ボール載せ部材を弾性変形することによって、前記上方部に係合される請求項1に記載のゴルフティー。
【請求項３】
前記ボール載せ部材を通って延びる前記上方部の一部は、当該上方部の頭部に設けられる孔に係合するのに適合したボール載せ挿入部を有する請求項１または２に記載のゴルフティー。
【請求項４】
前記ボール載せ挿入部は、挿入可能な剛毛ふさのアッセンブリからなる請求項３に記載のゴルフティー。
【請求項５】
前記ボール載せ部材は、剛毛ふさの環状配列が設けられた上方が実質的に平坦な面を有する環状ボディを有している請求項1〜4のいずれか１つに記載のゴルフティー。
【請求項６】
前記環状ボディは、前記上方部に設けられる対応する環状溝と係合するように構成され、前記係合が前記ボール載せ部材の弾力のある付勢力に抗して行なわれ、前記環状ボディが前記環状溝に回転可能に嵌め込まれ、これにより、前記環状ボディを叩打するクラブヘッドのインパクトエネルギーの一部が前記環状ボディを前記上方部のまわりで回転させることによって消される請求項５に記載のゴルフティー。
【請求項７】
前記環は、実質的に、丸、三角形、四角形、矩形、あるいは八角形の中から選択される形状を有する請求項１〜６のいずれか１つに記載のゴルフティー。
【請求項８】
前記環は、１つの頂点部分を持つ形状を有し、実質的に中央の上方部と本体部材の共軸が前記頂点部分の方へ位置がずれている請求項7に記載のゴルフティー。
【請求項９】
地面係合スパイク部を有する本体部材と、上方ボール載せ部とを有し、前記ボール載せ部は、複数の剛毛ふさが設けられた上面を有しており、前記剛毛ふさは、前記上面にわたって実質的に均一に分布され、それぞれ前記スパイク部の軸に実質的に平行に伸びており、前記ふさは、当該ふさの上端が実質的に凹形状のボール載せ面を形成するように選択された長さを有してなる、ゴルフティー。
【請求項１０】
前記多数の剛毛ふさは、丸、三角形、正方形、矩形、または八角形から選択された配列に形成している請求項9に記載のゴルフティー。
【請求項１１】
前記環は、１つの頂点部分を持つ形状を有し、実質的に中央の上方部と本体部材の共軸が前記頂点部分の方へ位置がずれている請求項１０に記載のゴルフティー。
【請求項１２】
前記地面係合スパイク部は、簡素な尖端または矢尻尖端から選択された尖端を有する前記請求項のいずれか１つに記載のゴルフティー。
【請求項１３】
ボール載せ面を有するエラストマのボール載せ部材と係合する上方部を備えた本体部材を有し、前記ボール載せ面には前記上方部が地面係合部に向かって下方に伸び、前記上方部と前記エラストマのボール載せ部材との間の前記係合は、側面と断面の双方において蟻溝断面の弓状舌片と、前記エラストマのボール載せ部材に形成された補完的な凹部とを有してなるゴルフティー。
【請求項１４】
前記地面係合部は、スパイク部、またはブレード部を有する請求項１３に記載のゴルフティー。
【請求項１５】
前記地面係合部は、地面結合ブレード部の平面に実質的に配置されたブレード部と弓状舌片を有する請求項１４に記載のゴルフティー。
【請求項１６】
前記エラストマのボール支持は、前記上方部の下に伸び、一方の側では次第に大きくなり、他方の側では使用時に方向を示す隠れた舌片となる請求項１３〜１５のいずれか１つに記載のゴルフティー。
【請求項１７】
ボール載せ部材の下方および上方に伸延する上方部が上に備えられたボール受け面を有する弾性のあるボール載せ部材と係合するのに適した上方部を有する本体部材と、使用時に垂直方向尖端を形成するように、前記上方部から延びて収斂する前端部および後端部を備える地面結合ブレード部と、を有し、これにより前記尖端が前記ボール載せ上のボールの垂直軸線から前端方向にずれるゴルフティー。
【請求項１８】
使用時に、ボール受け面の中心を通る垂直軸線からの前記尖端のずれは、ティー全長の約１２〜２５％である請求項１７に記載のゴルフティー。
【請求項１９】
前記ブレード部は、対称形であるかまたは先端に向かって変位している翼弦形状をした実質的に薄片のブレードからなる請求項１３〜１８のいずれか１つに記載のゴルフティー。
【請求項２０】
前記地面結合ブレード部のボール載せ面から離れた外方端部は、尖端、たがね状尖端あるいは湾曲した端部で終端する請求項１３〜１９のいずれか１つに記載のゴルフティー。
【請求項２１】
前記ボール載せ部材は、本体部材を有している型にエラストマの成形材料をショット成形することによって、舌片を備えた形状に成形される請求項１３〜２０のいずれか１つに記載のゴルフティー。
【請求項２２】
地面係合部材と、ボール載せ部を有する本体部材とを有し、前記地面係合部材は、前記本体部材と磁気的に係合するゴルフティーアッセンブリ。
【請求項２３】
前記地面係合部材は、１以上の地面挿入スパイク部を有する請求項２２に記載のゴルフティーアッセンブリ。
【請求項２４】
前記地面係合部材は、地面上に座るのに適している請求項２２に記載のゴルフティーアッセンブリ。
【請求項２５】
前記地面係合部材は、実質的に平坦な上方部を有し、頭蓋上方部は、使用中にボール場所マーカーを形成するため地面よ実質的に同一平面に置かれる請求項２４に記載のゴルフティーアッセンブリ。
【請求項２６】
前記地面係合部材は、使用中地面から立設する状態となる上方部を有し、頭蓋上方部は使用中のゴルフボールを支えるボール載せ面を有する請求項２４に記載のゴルフティーアッセンブリ。
【請求項２７】
前記ボール載せ面は、剛毛ふさアッセンブリを有し、使用中に、前記地面係合部材が、ゴルフボールを支えるために本体部材がない場合、使うことができる請求項２６に記載のゴルフティーアッセンブリ。
【請求項２８】
前記磁気的係合は、前記地面係合部材と前記本体部材の各々に成形された磁気的活性要素による請求項２２〜２７のいずれか１つに記載のゴルフティーアッセンブリ。
【請求項２９】
使用時に、第1のボール載せ部材の頂部又は付加的に配置される1つ以上のボール載せ部材を有する請求項２２〜２３のいずれか１つに記載のゴルフティーアッセンブリ。
【請求項３０】
前記本体部材の上方部は、弾性インパクト手段を有する請求項２２〜２９のいずれか１つに記載のゴルフティーアッセンブリ。
【請求項３１】
前記本体部材は、１以上のポリマー材料で実質的に形成される前記請求項のいずれか１つに記載のゴルフティー。
【請求項３２】
前記本体部材は、当該本体部材が付属品と連結される連結コードを受け入れる通路を有する前記請求項のいずれか１つに記載のゴルフティー。
【請求項３３】
前記付属品は、引っぱり装置、アンカー装置、ゴルファーのディボットツール、別のティーから選択される請求項３２に記載のゴルフティー。
【請求項３４】
前記付属品は、本発明に係るティーである請求項３３に記載のゴルフティー。
【請求項３５】
前記連結コードは、他のもののアンカーとして使用される一対のティーうちの1つを許容できる長さを有し、クラブヘッドで叩打されるとき、ティーの射程方向の推力に抗する請求項３４に記載のゴルフティー。
【請求項３６】
実質的に平行で一対が間隔をもって置かれた地面係合スパイク部と上部ボール載せ部を有する一体化された本体部材を有し、前記ボール載せ部材は、上部ボール載せ面を有し、前記本体部材は、前記スパイク部上に連結コードを受け入れる通路を有し、これによって前記本体部材がペアで連結されるゴルフティー。
【請求項３７】
前記連結コードは、他のもののアンカーとして使用される一対のティーうちの1つを許容できる長さを有し、クラブヘッドで叩打されるとき、ティーの射程方向の推力に抗する請求項３６に記載のゴルフティー。
【請求項４０】
間隔を開けて設けられ、実質的に平行である一対のドレッシング・スパイク部および上方部ボール載せ部材を有する一体化された本体部材を有するゴルフティーとボールマーク修復ツールの複合体であり、前記ボール載せ部は、上方部ボール載せ表面を有し、前記本体部材は、複数の前記スパイク部間に形成された水かき状部を有し、当該水かき状部の少なくとも１側面には凹部が形成され、前記スパイク部の少なくとも１つは、前記凹部に補完する尖端部を有し、これにより一対のボールマーク修復ツールが各ツールのスパイクの交差面で各スパイクが互いにクリップされるゴルフティーとボールマーク修復ツールの複合体。
【請求項４１】
第２の前記一対のボールマーク修復ツールは、前記水かき状部と付随の凹部が形成されず、前記スパイク部のうち少なくとも１つは、第１のツールの凹部を補完する尖端部を有し、これにより前記一対の異なるボールマーク修復ツールが共にクリップされる請求項４０に記載のゴルフティーとボールマーク修復ツールの複合体。
【請求項４２】
前記本体部材は、前記スパイク部上に連結コードを受け入れる通路を有し、これにより前記本体部材のそれぞれのものが対で連結される請求項４０または請求項４１に記載のゴルフティーとボールマーク修復ツールの複合体。
【請求項４３】
前記本体部材は、クラブフェイスの溝からごみを掃除する、一体的に形成された突出部が設けられた請求項４０〜４２のいずれか１つに記載のゴルフティーとボールマーク修復ツールの複合体。
【請求項４４】
前記スパイク部の一方または両方は、当該スパイク部の外側に位置されかつ該スパイク部の外端に配置された、一体的に形成された前記突出を有する請求項４３に記載のゴルフティーとボールマーク修復ツールの複合体。
【請求項４５】
前記一体化された本体部材は、ポリマー材で形成される請求項３６〜４４に記載のゴルフティー。
【請求項４６】
前記一体化された本体部材の上方部は、弾性的なインパクト手段を備えている請求項４５に記載のゴルフティー。
【請求項４７】
パターのために望ましい経路を定義する少なくとも一対の実質的に平行なガイドライン、および前記ガイドラインの間でかつ横断してそれぞれが伸延する少なくとも２つの間隔が開いたバックスウィングガイドラインがその上に印し付けられ、地面に重量をかけるように成形されたエラストマのマットを有し、当該成形されたエラストマのマットは、パッティンググリーンをシミュレーションするために複数の均一に分布された上昇部、点在された複数の凹部を備えた模様付きの表面を有し、一対の伸延する側面部が前記マットへ固定されかつ当該側面部間で前記パターの経路からの逸脱限界を定義するパッティング補助具
【請求項４８】
地面等に設置されるベース部を有する本体部材と、前記本体部材と共働しかつ使用時にボールのインパクトによる変位に対し前記本体部材を前記地面等に固定する係合手段と、使用時に前記地面等に実質的に鋭利な端部で前記ベース部と合致しかつ他端部または両端部で境界が形成される傾斜した上面と、を有し、前記本体部材が前記傾斜した上面を挿通して設けられた目標孔を有しているパッティングカップ装置。
【請求項４９】
弾性的な本体部材を有し、この本体部材は、その上に形成されかつ両外端部の間で当該外端部をつなぐ想像線に対し垂直方向に円周の半分以上、４分の１以下伸延された部分的球状の水かき状部を有し、これにより、ゴルフボールが、その弾性的なバイアスによって前記水かき状部の凹面に固定され、ボールマーキングステンシル部材が、ゴルフボールを配置する部分的球状座面を挿通する所定形状の穴を有し、複数の係合手段が、前記外端部および前記ステンシルと共働し、前記外端部と保持されたボールの表面に隣接する部分と間の前記球状の座面に着脱自在に係合するボールホルダー。
【請求項５０】
弾性的な本体部材を有し、この本体部材は、その上に形成されかつ両外端部の間で当該外端部をつなぐ想像線に対し垂直方向に円周の半分以上、４分の１以下伸延された部分的球状の水かき状部を有するボールホルダーであって、複数のボールホルダー部材を有し、当該部材は、それらの中央部が回転支持され、前記部材が縮小されている第１の位置と前記部材が相互に垂直な第２の位置の間が回転可能であり、前記部材上の前記ピボットについての横溝は、前記部材上のピボットについて、前記想像線に沿って方向付けられる対応キーを受けて適応し、前記キーは、前記第２の位置に前記部材に開放可能に固定するために、弾性バイアスにより前記溝部に維持されるボールホルダー。
【発明の詳細な説明】
【技術分野】
【０００１】
本発明は、ゴルフ用ティーとその装備品に関する。
【背景技術】
【０００２】
ゴルフティーは、下方地面係合スパイク部および上方ボール載せ部を有する従来の木かプラスチックのティーからほとんど改善されていない。従来のティーの限界は、クラブヘッドが、飛行中のティーと接触するときに、ティーを射程方向に沿って進めたり、ティーを砕くかないし破損させたり、あるいはクラブフェイスを傷付けるか乃至マーキング付けたりするという事実を有している。
【０００３】
提案されたティーの一形状は、地上に置くのに適した支持ベースを有しており、支持ベースにボール支持部材が回動可能に設けられている折り畳み式のティーである。この装置は、ボールが従来のティーに支持される第１の位置から回動して、ボール支持部材が射程方向に折れ曲がる第２の位置に向うように設計されている。この種のティーの不利な点は、でこぼこした地面に置かれるため不安定な支持となるベースについての信頼性、および回動平面を射程方向に沿って正確に指向する必要性にある。ボール支持部材の固い軸はさらに、クラブフェイスを傷付けるかないしマーキング付けするかもしれない。
【０００４】
米国特許第６，０５３，８２２号は、柄と、一体的に形成された頭部とを有するゴルフティーを開示している。頭部は、実質的に平坦な上部を有し、この上部の周囲は斜めの肩部が形成している。多数の間隔を置いた孔が前記斜めの肩部に設けられている。各孔の軸線は、概して剛毛保持群の線に沿い、この剛毛保持群は頭部の上面から上方に伸び、ティーの頭部より上にブラシリングを形成している。ブラシリングは、斜めの肩部から上方および外方に伸び、ゴルフボールの柔らかいライを形成している。
【０００５】
この装置の不利な点は、中央があいた剛毛のリングがボールの重量によって外方に位置ずれすることにある。剛毛が実質的に平坦な上部よりも上にボールを支持するのに十分に固いとしても、周辺で支持している剛毛は、僅かな振動によって容易に位置ずれし、ライにおいてボールが僅かに動き回る結果となる。更に、柄部の地面への貫通品質は、ティーボディが硬くて固い材料で成形されることを必要とする。比較的大きいサイズの硬い剛毛受け頭部は、ティーを射程方向に沿って急速に推めたり、インパクトでクラブヘッドにマーキングする傾向がある。
【発明の開示】
【０００６】
本発明の態様では、地面係合スパイク部を有する本体部材と、弾性ボール載せ部材を係合するのに適した上方部と、を有し、前記ボール載せ部材は、剛毛ふさの環状配列が設けられた上面を有し、前記上方部は、前記環状配列の内側の実質的に中央で、前記ボール載せ部材を通って伸び、前記剛毛ふさでゴルフボール用支持を形成してなる、ゴルフティー（Ｉ）である。
【０００７】
本体部材は、任意の適切な材料で形成でき、１以上のポリマー材料、軽金属、あるいはこれらの組合せで形成することが好ましい。地面係合スパイク部は、簡素な尖端で形成してもよくあるいは除去に抗するように形成してもよい。例えば、尖端は矢尻尖端でもよい。上方部は、ボール載せ部材と安定的に係合する任意の適切な形状を有している。例えば、上方部は、弾力のあるボール載せ部材に形成された形状と対応する外形を備えており、相互補完的な形状がパチンとスナップ連結されるまでボール載せ部材を弾性変形させることによって、上方部と係合される。
【０００８】
ボール載せ部材を通って伸びる上方部の一部は、ボール載せ部と一体的に形成していてもよく、あるいは本体部材とアッセンブリされていてもよい。例えば、上方部の頭部に設けられる孔に係合するボール載せ挿入部を設けてもよい。ボール載せ部は、堅固なボール載せ部であってもよい。しかし、柔らかなライは、上述した挿入部に挿入可能な剛毛ふさとのアッセンブリとして構成することによって、提供され得る。
【０００９】
ボール載せ部材は、天然ゴムあるいは他のエラストマのポリマーの合成ゴム、弾力のあるプラスチック材料などの、任意の適切な材料で形成され得る。本発明の所定の実施形態において、ボール載せ部材は、剛毛ふさの環状配列が設けられた上方の実質的に平坦な面を有する環状ボディを有している。環状ボディは、上方部に設けられる対応する環状溝と係合するように構成され、前記係合は、ボール載せ部材の弾力のある付勢力に抗して行なわれる。環状ボディは、環状溝に堅く嵌め込まれていてもよい。しかし、環状ボディが溝の中に回転可能に嵌め込まれることが好ましい。これにより、環状ボディを叩打するクラブヘッドのインパクトエネルギーの一部は、環状ボディを上方部のまわりで回転させることによって消され得る。
【００１０】
従来のティーにおいて、ボールは、比較的大きいボール載せ面の湾曲により外側に位置されるが、まだ比較的不安定である。上述の実施形態においては、ボールは、比較的小さいボール載せ部またはアッセンブリで支えられ、従来のティーのボール載せ面の周辺よりも比較的高い位置でボールと係合する剛毛によって外側に位置される。
【００１１】
本体部材は、スパイク部の上方で貫通するとともに連結コードを受け入れるのに適合した通路を有し、これにより、本体部材は付属品と連結できる。付属品は、（下方側への移動を制限する）引っぱり装置、アンカー装置、ゴルファーのディボットツール、別のティーその他の中から選択できる。ある実施形態において、本発明によるティーの各本体部材は、一組のコードによって連結される。連結コードは、ティーの組のうちの１つがアンカーその他として使用され得る長さであってもよく、したがって、クラブヘッドによって打たれるときのティーの射程方向の推力に抗する。
【００１２】
環は、大部分の実施形態において丸い。しかし、環は、実質的に、丸、三角形、四角形、矩形、あるいは八角形の中から選択される形状であってもよい。形状が丸以外のとき、環は、一つまたはそれ以上の頂点部分を有している。実質的に中央の上方部の軸は、好ましくは本体部材と同軸である。この軸は、（実質的に中央であるが）頂点部分の方へ位置ずれしてもよい。これにより、ボール載せ位置は、下方側へ指向される。
【００１３】
本発明のさらなる態様では、地面係合スパイク部を有する本体部材と、上方ボール載せ部とを有し、前記ボール載せ部は、複数の剛毛ふさが設けられた上面を有しており、前記剛毛ふさは、前記上面にわたって実質的に均一に分布され、それぞれ前記スパイク部の軸に実質的に平行に伸びており、前記ふさは、当該ふさの上端が実質的に凹形状のボール載せ面を形成するように選択された長さを有する、ゴルフティー（ＩＩ）である。
【００１４】
剛毛ふさの配列は、丸い配列、あるいは三角形、正方形、矩形、または八角形を含む任意の他の適切な形状である。剛毛は、例えばナイロンなどの合成材料、または例えばブタ剛毛などの自然の材料で作られる。従来技術のいわゆる「剛毛ティー」と比較して、本発明においては、より細かい剛毛をより多く使用することが好ましく、より細かい剛毛は、上面にわたって均一なふさの分布を使用することによって作ることができ、使用時に実質的に垂直方向で合体し、ボール載せ面は、剛毛側部よりもむしろ剛毛端上で提供される。
【００１５】
本体部材は、スパイク部の上方を貫通し、連結コードを受け入れる通路を有してもよく、これにより、各本体部材は組で連結され得る。連結コードは、ティーの組のうちの１つがその他のためのアンカーとして使用され得る長さであってもよく、したがって、クラブヘッドによって打たれるとき、ティーの射程方向の推力に抗する。
【００１６】
地面係合スパイク部は、簡素な尖端で形成してもよくあるいは除去に抗するように形成してもよい。例えば、その尖端は矢尻尖端であってもよい。
【００１７】
本発明のさらなる態様では、ボール載せ面を有するエラストマのボール載せ部材と係合する上方部を備えた本体部材を有し、前記ボール載せ面には前記上方部が地面係合部に向かって下方に伸び、前記上方部と前記エラストマのボール載せ部材との間の前記係合は、側面と断面の双方において蟻溝断面の弓状舌片と、前記エラストマのボール載せ部材に形成された補完的な凹部とを有する、ゴルフティー（ＩＩＩ）である。
【００１８】
地面係合部は、スパイク部、またはブレード部を有する。地面係合部がブレードである場合、弓状舌片は、地面結合ブレード部の平面に実質的に配置され得る。一方、ティーは、射程に沿う方向をその上に示すことが好ましく、それにより、弓状舌片は、使用中においてストロークの方向に合わせられる。本発明の所定の実施形態において、エラストマのボール支持は、上方部の下に伸び、一方の側では次第に大きくなり、他方の側では使用時に方向を示す隠れた舌片となり得る。
【００１９】
ブレード部は、対称形であるかまたは先端に向かって変位している翼弦形状をした実質的に薄片のブレードを有している。ボール載せ面から離れた外方端部は、尖端、たがね尖端、あるいは湾曲した端部で終端している。たがね尖端が使用される場合、これは、有利には、クラブフェイスのクリーニングツールとして構成され得る。
【００２０】
エラストマのボール載せ部材は、天然または合成のゴム、ポリウレタン、あるいは他のエラストマの材料で作られる。ボール載せ部材は、分離可能な部品であってもよく、ここにおいて、ボール載せ部材は、弾性的に変形されその凹部を舌片に係合できる。選択的ではあるが、ボール載せ部材は、本体部材を含む型にエラストマの成形材料をショット成形することによって、舌片を備えた形状に成形される。
【００２１】
本体部材は、スパイク部の上方で貫通するとともに連結コードを受け入れるのに適した通路を有し、これにより、各本体部材は対になって連結される。連結コードは、ティーの対のうちの１つがその他のためのアンカーとして使用され得る長さであってもよく、したがって、クラブヘッドによって打たれるとき、ティーの射程方向の推力に抗する。
【００２２】
本発明のさらなる態様では、ボール載せ部材の下方および上方に伸延する上方部が上に備えられたボール受け面を有する弾性のあるボール載せ部材と係合するのに適した上方部を有する本体部材と、使用時に垂直方向尖端を形成するように、前記上方部から延びて収斂する前端部および後端部を備える地面結合ブレード部と、を有するゴルフティー（ＩＶ）であり、これにより、前記尖端が前記ボール載せ上のボールの垂直軸から前端方向にずれる。
【００２３】
使用時に、ボール受け面のボール中心を通る垂直軸線からの尖端のずれは、ティーにサーベルのような形状を与え、そしてヒッティングゾーンにボールを「浮かせる」傾向を呈する手段として、いわばボールを機械的に支持する効果を有する。程度の差はあっても、ティーの全長の約１２〜２５％のずれは、この効果を与えることが判明している。
【００２４】
前記上方部と前記エラストマのボール載せ部材の間の係合は、側面と断面の双方の蟻溝断面の弓状舌片と、前記エラストマのボール載せ部材に形成された相補形状の凹部とである。弓状舌片は、実質的に地面結合ブレード部の平坦面に配置され、ここでは、垂直方向尖端のずれは、使用時に舌片の配置を射程方向に向けさせる。
【００２５】
エラストマのボール載せ部材は、天然または合成ゴム、ポリウレタン、あるいは他のエラストマ素材によって形成される。ボール載せ部材は、分離可能な部材とすることも可能であり、この場合、ボール載せ部材は弾性変形し、舌片とボール載せ部材に形成される凹部とが嵌合する。選択的ではあるが、ボール載せ部材は、本体部材も含めて成形するために用いられる型にエラストマの成形材料をショット成形することによって、舌片と合わせて形成することもできる。
【００２６】
本発明のさらなる態様では、離間され、実質的に平行な一対の地面係合スパイク部および上方部ボール載せ部材を有する一体化された本体部材を有するゴルフティー（Ｖ）であり、前記ボール載せ部材は、上方部ボール受け面を有し、前記本体部材は、前記スパイク部の上方に貫通し、連結コードを受け入れるのに適した通路を有し、これにより、各前記本体部材が対になって連結される。
【００２７】
連結コードは、一対のティーにおいて一方が他方のティーのアンカーとして用いられることが可能な長さを有する。これにより、連結コードは、クラブヘッドに打たれた際に、ティーの射程方向の推力に抗する。
【００２８】
一体化された本体部材は、ポリマー材で形成されることが好ましい。クラブヘッドからのインパクトに抵抗するために、本体部材の上方部にインパクトを跳ね返す手段を備えることも可能である。例えば、上方部ボール受け面は、下方に延伸し、実質的に円筒状を呈する側面によって、囲まれ得る。当該側面は、少なくとも２つの環状溝を有し、使用時において、当該側面の上方へ延伸する各エラストマの環状部材を支持するように形成される。
【００２９】
本発明のさらなる態様では、間隔を開けて設けられ、実質的に平行な一対のドレッシング・スパイク部および上方部ボール載せ部を有する一体化された本体部材を有するゴルフティーとボールマーク修復ツールの複合体であり、前記ボール載せ部は、上方部ボール載せ表面を有し、前記本体部材は、複数の前記スパイク部間に形成された水かき状部を有し、当該水かき状部の少なくとも１側面には凹部が形成され、前記スパイク部の少なくとも１つは、前記凹部に補完する尖端部を有し、これにより一対のボールマーク修復ツールが各ツールのスパイクの交差面で各スパイクが互いにクリップされる。
【００３０】
各ツールは、実質的に全く同一あるいは異なる場合がある。例えば、第２の形態として、上記の一対のツールは、水かき状部とそれに付随する凹部を設けず、離間され、実質的に平行な一対のドレッシング・スパイク部および上方部ボール載せ部材を有する一体化された本体部材を有し、前記ボール載せ部材はこれまでのように上方部ボール受け表面を有し、スパイク部のうち少なくとも１つは、１番目のツールの凹部に対応するように形成される先端部を有し、これにより、一対の異なるボールマーク修復ツールが互いにクリップされ得る。
【００３１】
本体部材全体は、ポリマー素材で形成されることが好ましい。クラブヘッドからのインパクトに抵抗するために、本体上方部は、本体の上方部においてインパクトを跳ね返す手段を備えることも可能である。例えば、上方部ボール載せ面は、下方に延伸し、実質的に円筒形状を呈する側面によって囲まれる。当該側面は、少なくとも２つの環状溝を有し、使用時において、当該側面の上方に延伸する各エラストマの環状部材を受けるのに適して形成される。
【００３２】
本体部材は、スパイク部の上方を貫通し、連結コードを受けるのに適した通路を有し、これにより、各前記本体部材が対になって連結され得る連結コードを支持するための通路を有する。
【００３３】
連結コードは、一対のティーにおいて一方が他方のティーのアンカーとして用いられることが可能な長さを有する。これにより、連結コードは、クラブヘッドに打たれた際に、ティーの射程方向の推力に抗する。例えば、通路は、実質的に同一の各ツールが互いにクリップされる場合には、各ツールの水かき状部を通じて提供され、また、異なるツールが互いにクリップされる場合には、１つのツールの水かき状部および異なるツールの本体部材を通じて提供される。
【００３４】
本体部材は、クラブフェイスの溝から泥を掻きだすために一体的に形成される突出部を、さらに有している。例えば、スパイク部の一方または双方は、一体的に形成される突出部を有している。当該突出部は、スパイクの先端部に向けて設けられ、スパイクの外側面に配置されることが好ましい。
【００３５】
従来のティーの制限は、一般的に、クラブヘッドが当該ティーに接触されることによって、ティーが破壊されることを有している。固定用のスパイクの多くは地面に放置され、上方部はクラブの射程方向に投げ出される。ゴルファーは、破損されたティーを回収することが求められるが、これは守られないことが多い。破損されたティーは、芝刈り機の刃へ損傷を与えることがある。さらに、クラブフェイスとティーとの接触によって、クラブフェイスに引っかき傷が生じ得る。ティーショットの際に、ティーが吸収する力は、本来であれば、ゴルフボールに伝達される力であるべきである。ティーショットの距離と正確さを最大限に高めるためには、ゴルフボールに伝達される力を最大限に高めることが重要である。
【００３６】
本発明のさらなる態様では、地面係合部材と、ボール載せ部を有する本体部材とを有するゴルフティーのアッセンブリであり、前記地面係合部材は、前記本体部材と磁気的に係合している。
【００３７】
地面係合部材は、通常、１つ以上の地面挿入部材を有している。通常、地面係合部材は、スパイクあるいは杭の形状を呈する地面挿入下部と、本体部材と連結するために形成される上方部とを有する。あるいは、地面係合部材は、地面上に載置されるように形成される。かかる地面係合部材は、例えばゴルフ練習場などでスパイクあるいは同様のものを地面に挿入することが不可能な状況、あるいは許容されていない状況において使用され得る。
【００３８】
本発明の１つの形態において、地面係合部材は、実質的に平坦な上方部を有し、当該上方部は、使用時において、地面に実質的に平らに置かれるのに適している。通常、上方部の平面的形状は、実質的に円形を呈する。本実施態様において、地面係合部材は、単体で使用される場合、ボールの位置を示すマーカーの役割を果たす。ゴルフボールの位置を示すマーカーは、パット用グリーン上においてゴルフボールの位置を明らかにするために用いられるものである。
【００３９】
本発明の他の形態において、地面係合部材は、使用時において地面から立設する状態となる上方部を有する。好ましくは、本実施態様において、上方部は、使用時においてゴルフボールを支持するボール受け面を有する。通常、ボール受け面は、ゴルフボールの湾曲に対応するように形成される湾曲部を有する。あるいは、ボール受け面を、毛ブラシ部が形成されることによって柔らかな表面とすることも可能である。本体部材が設けられていない場合には、この地面係合部材が、使用時においてゴルフボールを支持するために用いられる。通常、ゴルフの試合において、アイアンクラブを用いてティーショットを行なうためにボールを置く場合には、ウッドクラブを用いてショットを行なうためにゴルフボールを置く場合に比べて、地面により近接した位置にボールを置くことが好ましい。したがって、本実施態様の地面係合部材は、アイアンクラブが使用される場合に、特に適している。
【００４０】
地面係合部材は、適当な材料により形成される。通常、当該地面係合部材は、合成または天然ゴムのような熱可塑性素材、あるいはポリプロピレンなどのポリオフェレン性素材により形成される。適当な材料は公知の材料である。地面係合部材は、磁石を介してボール載せ部材と連結するように形成される。磁気による連結は、磁気に引かれる成分を、各地面係合部材と前記本体部材との型にショット成形することにより実現される。地面係合部材がプラスチック素材で製造される場合、当該地面係合部材を、適当な大きさと強度とで、磁石の周りに形成することが可能である。選択的ではあるが、別個の磁性粒子が、従来の加工の途中において、ポリマー溶解物に添加されてもよい。さらに、地面係合部材全体は、磁気を帯びた鉄製材料で形成される。
【００４１】
組立品は、本体部材をさらに有している。本体部材は、通常、ボール受け面を有する。当該ボール受け面は、従来のゴルフティーにおけるボール受け面と同様に、ゴルフボールの湾曲と同じ湾曲率を有する凹形を呈している。しかしながら、本体部材は、使用時にゴルフボールを受け止め、支持することができる、あらゆるタイプの表面を有してもよい。
【００４２】
本体部材は、上記アンカー部材の製造方法と類似する方法で製造され得る。
【００４３】
地面係合部材と本体部材とは、磁石によって連結可能である。使用時には、通常、アンカー部材が地面に挿入され、本体部材がその上に設置される。通常、各部材の磁力は、部材同士をつなぎ合わせる上で、所定の安全率を有して設定される。安全率を有して磁力が設定されることは、通常吹く風の状態やゴルフクラブヘッドのアプローチによって生じる局所的な空気の動き等によって作用されるあらゆる相対的な外力に抵抗する観点から好ましい。
【００４４】
本発明の組立品は、１つ以上の本体部材をさらに有している。当該本体部材は、使用時に第１の本体部材の頂部上に設けられるか、あるいは第１の本体部材に追加的に設けられる。この方法により、ティーの高さを変更することができる。
【００４５】
本体部材の上方部は、インパクトを跳ね返す手段を有している。例えば、上方部はエラストマのリング部材をその周りに受け入れるように形成された少なくとも１つの環状溝を有している。
【００４６】
本発明のゴルフティー組立品は、地面にボール載せ部材を固定するアンカー手段を更に有している。これにより、インパクトの後にボール載せ部材の紛失を予防、防止することができると共に／または、より容易にボール載せ部材を回収することができる。一般的に、アンカー手段は、本体部材へ適切な手段によって係合されるコードを有している。使用中、コードは、アンカーに連結される。アンカーは、地面係合部材と同じか、または異なってもよい。アンカーは、他のいかなる適切な部材（例えば芝生ツール、従来のティーまたは本発明の更なる本体部材）でもあってもよい。
【００４７】
本発明のティーは、ゴルフ用付属品を有するキットまたは一式を形成している。パターのために望ましい経路を定義する少なくとも一対の実質的に平行なガイドライン、および前記ガイドラインの間でかつ横断してそれぞれが伸延する少なくとも２つの間隔が開いたバックスウィングガイドラインがその上に印し付けられ、地面に重量をかけるように成形されたエラストマのマットを有するパッティング補助器具が提供でき、当該成形されたエラストマのマットは、パッティンググリーンをシミュレーションするために複数の均一に分布された上昇部、点在された複数の凹部を備えた模様付きの表面を有し、一対の伸延する側面部が前記マットへ固定されかつ当該側面部間で前記パターの経路からの逸脱限界を定義する。
【００４８】
成形されたエラストマのマットは、マットを芝生やカーペットのようなパット練習に適した表面と同じにすることができるように、十分に低い係数の適切なエラストマ材料とすることができる。
【００４９】
本発明の実施の形態において、成形されたエラストマのマットは、（自由に立っている状態の）テーブル置きマットや（所定の位置に付着された状態の）デッキ表面のような、マリン用品とマッチする滑らないマットとして使用されるタイプである。
【００５０】
ガイドラインおよびゲージ線は、表面に印刷または熱的に印される。実質的に表面上をゴルフボールが自由に転がることを妨げないガイドラインまたはゲージ線を適用する方法であればどのようなものであってもよい。
【００５１】
ゲージ線は、特定のパットに要求されるバックスイングに関する練習を与えるためのバックスイングの距離の表示を提供するために与えられる。
【００５２】
このように、２本以上のゲージ線があることが好ましい。ゲージ線間の間隔は、どのような選択された間隔であってもよい。実際上、ゲージ線の間隔をおおよそボール一個分の直径とすることが好ましい。
【００５３】
ガイドラインは、いかなる選択された間隔であってもよい。例えば、パターヘッドの軌跡の適当な指示は、ボール直径の４分の１から２個分の線のいかなる間隔でも与えることができる。しかし、ガイドラインの間隔は、ゴルフボールの直径の３分の１から３分の２であることが好ましい。
【００５４】
一対の側面部材は、クラブヘッドの軌道を制約するのに適した手段を有することができる。例えば、各々は、マットの上に位置して固定されるのに適した座面を有する伸延部材と、一定しないクラブヘッドが当たる案内面と、を有している。座面は、エラストマのマット表面との摩擦係数による固定手段を形成することができる。選択的ではあるが、機械式固定手段を提供することもできる。
【００５５】
側面は、クラブヘッドに壁を与えるために、本質的に直立である。選択的ではあるが、側壁は傾斜または曲面により切り取られていてもよい。この手段により、ユーザがパッティング面の上の高い位置でパターを使用すると、装置はストロークラインからの外れを許容しない。側面部材は、各々単一の側面部材を有している。選択的ではあるが、側面部材は、より容易な収容および携帯性のために、２つ以上の側面部分部材の組立品を有してもよい。
【００５６】
側面部材は、例えば金属、プラスチックまたは他の比較的硬い材料等の適当な材料である。好ましくは、クラブヘッドが、理想的なクラブヘッドの軌道から選択された程度ずれているパットのストロークを示す側面部材を打つと、側面部材は可聴式の指示を与える所定の材料を有していることである。この手段によって、ユーザは、パット技術の欠点をリアルタイムで可聴式のフィードバックを受けることができる。
【００５７】
パッティング補助器具は、使用中、カップと共働していてもよい。したがって、パッティングカップ装置は、地面等に設置されるベース部を有する本体部材と、前記本体部材と共働しかつ使用時にボールのインパクトによる変位に対し前記本体部材を前記地面等に固定する係合手段と、使用時に前記地面等に実質的に鋭利な端部で前記ベース部と合致しかつ他端部または両端部で境界が形成される傾斜した上面と、を有し、前記本体部材が前記傾斜した上面を挿通して設けられた目標孔を有するものを提供する。
【００５８】
本体部材は、金属、プラスチック、木材または他の適切な材料により形成できる。実質的に鋭い端部を維持するために、本体部材は、好ましくは高い仕様のプラスチック・モールディングまたは金属により形成される。実質的に鋭い端部は、好ましくは直線である。傾斜した表面は、好ましくは平坦であり、ベース部を有する本体部材に堅固に形成されることにより平坦部が維持されている。しかし、本体部材は、傾斜した表面が側面傾斜または破断カップをシミュレーションするように、ベース部の地面を歪むように形成できる点が想定されている。
【００５９】
傾斜面の傾斜や端部における斜面上の目標穴の位置は、組み合わせされて好ましく選択され、成功したパットの後にゴルフボールを保持し得る目標穴として最小限の傾斜が維持される。目標穴は、好ましくは実質的にコースの穴と同じ目標と整合したサイズである。したがって、短い練習面上でロングパットをシミュレーションするため、目標穴は、標準のカップよりも小さくし、また、練習がフルスケールである場合は、標準のカップと同じ直径であることが好ましい。
【００６０】
係合手段は、ベース部と関連したスパイクと係合して一体的に形成された地面またはカーペットを有することができる。選択的ではあるが、係合手段は、本体部材を地面等に固定するために本体部材を通過する、分離可能なスパイクを有することができる。１つの実施形態では、傾斜面からベース部へ本体部材を貫通し、端部から目標穴の遠い側に位置し、目標穴の中心を通って端部に垂直に通る線上にある通路が提供される。前記地面等に係合するピンが前記通路を貫通して設けられ、傾斜面上に伸びるピンは、使用時にパットのための狙いをつけるポストを提供する。ピンの上端部は、標準のゴルフコースのカップのピンフラッグをシミュレーションするためにペナント部を備えることができる。
【００６１】
１つのボールホルダーを設けてもよいが、このボールホルダーは、弾性的な本体部材を有し、この本体部材は、その上に形成されかつ両外端部の間で当該外端部をつなぐ想像線に対し垂直方向に円周の半分以上、４分の１以下伸延された部分的球状の水かき状部を有し、これにより、ゴルフボールが、その弾性的なバイアスによって前記水かき状部の凹面に固定され、ボールマーキングステンシル部材が、ゴルフボールを配置する部分的球状座面を挿通する所定形状の穴を有し、複数の係合手段が、前記外端部および前記ステンシルと共働し、前記外端部と保持されたボールの表面に隣接する部分と間の前記球状の座面に着脱自在に係合する。
【００６２】
係合手段は、例えば、ステンシル部材のそれぞれの端部の分岐端を有し、外端部のそれぞれの上に締めまたは弾性的に取り付いて保持されている。ボールのステンシルの位置決めは、ボールホルダーにあるときに、プレーヤのマークをボールに印刷することを可能にする。
【００６３】
ステンシルは、識別のために形状をマーキングするため、若しくは、ボールに狙いをつける線を記すための線マーキングステンシルを有することができる。
【００６４】
複数のボールホルダーは、一体的な複数のボール用の本体部材を使用するように、複数に成形することができる。
【００６５】
１つのボールホルダーは、その上に形成されかつ両外端部の間で当該外端部をつなぐ想像線に対し垂直方向に円周の半分以上、４分の１以下伸延された部分的球状の水かき状部を有する一対のホルダー部材を有し、当該ホルダー部材は、それらの中央部が回転支持され、前記部材が縮小されている第１の位置と前記部材が相互に垂直な第２の位置の間が回転可能であり、前記部材上の前記ピボットについての横溝は、前記部材上のピボットについて、前記想像線に沿って方向付けられる対応キーを受けて適応し、前記キーは、前記第２の位置に前記部材に開放可能に固定するために、弾性バイアスにより前記溝部に維持される。
【００６６】
ピボットは、他の部材において提供される孔に係合する1つの部材上のピボットピンによって、提供されることができる。
【００６７】
弾性バイアスは、いかなる適切な手段によっても提供されることができる。例えば、凹部が設けられ、この凹部に孔が貫通してばね等を内部に有し、ピンがばねプレート等によってばねに係合される。ボールホルダーの比較的小さいスケールから見て、凹部は部材の一方に開口し、前記ピンおよび前記ピンにばねを維持するためのばねプレートよりも先にばねが挿入され、開口が本体部材の構造上の健全性を維持するのに選択された仕切りにより閉じられる。
【００６８】
また、ボールマーキングステンシル部材は、ゴルフボール上に置かれるように部分的球状座面を貫通する所定形状の穴と、部材の一方または両方の外端部、および外端部の間に球状座面に着脱自在に連結されて適用され、維持されたボールの表面と接するステンシルと連結される連結手段と、を有して提供される。
【００６９】
ステンシルは、識別のためにマーキングされた形状であるか、またはボール上に目標線を印すためにステンシルに印された線を有している。
【００７０】
係合手段は、例えば、ステンシル部材のそれぞれの端部に分岐端部を有し、障害のために適応され、または外端部のそれぞれの分岐端部に弾性的に保持される。
【００７１】
ボールの上のステンシルの位置決めは、ボールホルダーにある間に、ボールにプレーヤのマークを印刷することを可能にする。
【発明を実施するための最良の形態】
【００７２】
図１は、好適なゴルフティーアッセンブリ１１を示し、当該ゴルフティーアッセンブリ１１は、アンカー部材１２と、ボール載せ部材１３とを有している。地面係合部材１２は、先端９を備える下方アンカースパイク部１４と、ウエスト部１０と、上方部１５とを有している。上方部１５は、凹形のボール支持面１６を有している。磁石１７は、上方部１５内に収容されている。
【００７３】
ボール載せ部材１３は、ベース１８と、上部の凹形のボール支持面２０とを有している。磁石２１は、ベース１８内に収容されている。
【００７４】
アッセンブリ１１は、連結コード２２をさらに有し、当該連結コード２２は、地面係合部材１２と、ボール載せ部材１３とを連結している。ワッシャ２３が、コード２２に摺動可能に取り付けられている。
【００７５】
使用に際して、アンカースパイク部１４の先端９は、ウエスト１０が地面のレベルとなるまで、地面に挿し込まれる。このように、ティーアッセンブリを使用するごとに、地面係合部材１２は、同じ程度に挿し込まれ得る。このことは一定のおよび再現可能なティー高さを提供できることが分かり得る。このことは、所望の挿入深さを推定するゴルファーによって単に地面に挿し込まれる従来のティーにあっては、通常はできない。適切なおよび／またはばらつきのないティー高さは、所望の距離および正確さのティーショットを打つ際の重要な要因であると認められる。
【００７６】
それから、ボール載せ部材１３のベース２１は、アンカー部材１２のボール支持面１６上に載置される。ボール載せ部材１３は、それぞれの磁石１７、２１間の磁力によって、適切な状態に保持される。それから、ゴルフボールは、ボール載せ部材１３のボール支持面２０上に載置される。それから、ゴルフボールは、ゴルフクラブによって今までの方法で叩打される。ゴルフクラブの力は、アンカー部材１２とボール載せ部材１３との間の磁気による係合を断つ。
【００７７】
本発明のアッセンブリにより発揮されるゴルフクラブヘッドの軌道に対する抵抗が、従来の木あるいはプラスチックのティーよりも少ないことが観察された。これは、ゴルフヘッドに対する損傷を減じあるいは回避し得る。従来のゴルフティーについては、力はゴルフティーに対して与えられる。この力は、地面からティーを動かし、および／または、ティーを壊すことによって、少なくとも部分的に吸収される。本発明にあっては、非常により少ない力がティーに与えられ、ティーは付加的な力をゴルフボールに与えることができる。これは、同じクラブおよび従来のティーを使用して同じゴルファーにより達成され得るよりもより長い距離および／またはより高い正確さで、ゴルフボールが打たれるという結果になり得る。
【００７８】
ボール載せ部材１３とアンカー部材１２とが分離すると、ボール載せ部材１３は、コード２２によりアンカー部材１２に対する取付状態が保持される。このようにして、ボール載せ部材１３は、通常は失われない。
【００７９】
ゴルファーが、アンカー部材１２の頂部にボール載せ部材１３を置くことによって達成されるよりも低いティー長さを好む場合は、ゴルファーは、ボール支持面１６上にゴルフボールを単に載置できる。この変形例では、アンカー部材は、ほとんど、従来の短尺ティーとして同様に使用される。しかしながら、このように使用するときの地面係合部材１２の紛失を回避するために、ボール載せ部材１８は、地面の中に挿し込まれ、地面係合部材がゴルフクラブによって地面から打たれるときに地面係合部材のためのアンカーを提供する。選択的ではあるが、ディボットツールまたは他のアンカー手段を、ワッシャ２３と共働するコード２４の部分に取り付けてもよい。
【００８０】
図２は、図１について上述したものと同様のゴルフティーアッセンブリを示している。この実施形態において、アンカースパイク部２５は、矢尻状尖端の形状をしている。この形状は、変位に抗するために形成されている。
【００８１】
図３は、本発明のゴルフティーアッセンブリのさらなる変形例を示している。この形態ないしフォームでは、地面係合部材１２およびボール載せ部材１３の両者は、湾曲した外形形状を有している。ボール載せ部材１３は、地面係合部材１２の上にアッセンブリされたティーの湾曲が続き、のような形状を与えるように、取り付けられなければならない。この形状の効果は、ヒッティングゾーンにボールを「フロートないし浮かす」傾向を呈するように、ボールを支持することにある。程度の差はあっても、ティーアッセンブリ全体の長さの約１２〜２５％のずれは、この効果を与えることが判明している。
【００８２】
図４および図５は、ボール載せ部材２５、２６および２７、２８のセットのさらなる実施形態を示し、これらは、図６または図７のいずれかに示されるような地面係合部材２９、３０と一緒に使用される。
【００８３】
まず、図６および図７を参照して、これらの図は、地面係合部材２９、３０を示している。各部材１２は、ペッグ状アンカー部分３１、３２と、実質的に平坦な上方部３２、３３とを有している。各上方部３１、３２は、平面図でみて実質的に円形である。円形上方部３２、３３は、従来のボールマーカーとほぼ同じあるいは近似したサイズにされている。ボールマーカーは、グリーン上のボールの位置をマークするために使用されるディスクである。地面係合部材２９、３０は、従来のボールマーカーと同様に使用されることが分かる。部材２９、３０は、磁性金属材料から作られる。
【００８４】
図４および図５は、対をなす短いボール載せ部材２５、２７と長いボール載せ部材２６、２８とを示している。短いボール載せ部材２５、２７を参照して、それぞれの部材は、平らにされたベース３４、３５と、上方部のボール支持面３６、３７とを有している。磁石３８、３９、４０、４１は、それぞれのベースおよびボール支持面に位置している。
【００８５】
長いボール載せ部材２６、２８もまた、ベース４０、４１と、上方部のボール支持面４２、４３とを有している。磁石４４、４５は、それぞれのベースに位置している。
【００８６】
複数のコード２２は、それぞれ、各ボール載せ部材と長いボール載せ部材とを連結している。各コードは、図１について上述したものと同様のワッシャ２３を有している。
【００８７】
使用に際しては、図６の地面係合部材２９あるいは図７の地面係合部材３０のいずれかが、円形部分の下部が地面に面するまで、地面に挿し込まれる。このようにして、一定のティー高さという結果になる一定の挿入深さを得る。それから、ボール載せ部材２５または２７が、地面係合部材の頂部に載置される。これら複数の部材は、磁気的に相互に引きつけられる。低いティーが望まれるアイアンショットにあっては、ゴルファーは、ボール支持面３６、３７上にゴルフボールを載置する。他方、もしウッドショットが必要であるならば、より長いティーは、アンカー部材上に置かれる。選択的ではあるが、より高いティー高さが必要な場合には、短い部材は、アンカー部材と長いボール載せ部材との間に置かれる。
【００８８】
各ボール載せ部材の紛失を防ぐために、コード２２は、コード２２に関連する適切なアンカー手段を用いることによって取り付けられる。
【００８９】
先の実施形態のゴルフティーアッセンブリによって、ゴルファーは、ばらつきのない短いティー高さおよび長いティー高さを達成できることがわかる。
【００９０】
より重要なことは、本発明のアッセンブリがゴルフボールによって打たれるとき、アンカー部材とボール載せ部材との間の磁気的係合を解消するには、比較的小さな力しか必要としないことである。これは、力の度合いがティーを破壊する際に吸収される、例えば、従来の木のティーと比較でき、この付加的な力は、ゴルフボールの距離および／または正確さを増大するためにボールに伝達される。力の減少は、ティーと激突している間のゴルフクラブヘッドの摩損ないし引っ掻き傷も回避できる。また、本発明のゴルフティーアッセンブリは、再使用が可能であるので、破砕したあるいは壊れたプラスチックあるいは木のゴルフティーがゴルフコースに散らかることを回避でき、ゴルファーは、大量の使い捨てのティーを購入する必要がない。
【００９１】
図８に示される実施形態では、地面係合スパイク部５０と、平面状頭部５１とを備えるティーが提供される。地面係合スパイク部５０は、下方尖端５２を有し、移行ゾーン５３において平面状頭部５１と合体されている。図１２に最もよく示されるように、移行ゾーン５３は、符号５４の孔が貫通してあけられている。平面状頭部５１は、（図１０に最もよく示されるように）平面的には楕円形であり、剛毛ふさ５５からなる環状配列が形成されている。剛毛ふさ５５の環状配列は、より硬い剛毛状のものからなる中央ボール支持ふさ５６を取り囲む。平面状頭部５１は、周縁インパクト分散溝５７を有し、この溝５７にＯリングなどを受け入れることができる。
【００９２】
図９に示される実施形態において、地面係合スパイク部５０および平面状頭部５１の詳細は、図８に関するものであり、同様の符合が付されている。本実施形態において、剛毛ふさ５５の環状配列およびより硬い剛毛状のものからなる中央ボール支持ふさ５６は、図８の対応する部分よりも長く選択されている。図１１に示される実施形態において、地面係合スパイク部５０および平面状頭部５１の詳細は、図８に関するものであり、平面状頭部５１は、より小さい直径を備えている。本実施形態において、剛毛ふさ５５の環状配列およびより硬い剛毛ふさからなる中央ボール支持ふさ５６は、図８の対応する部分よりも長く選択され、さらに、ボール載せの直径は、図８の対応する部分よりも小さく形成されている。
【００９３】
図１２の詳細図において、移行ゾーン５３は、上述したように、符号５４の孔が貫通してあけられ、この孔は、連結コードが結ばれる凹所６１を形成するために、両端が座ぐりされた小さい孔６０を備えている。
【００９４】
図１３〜図１５の実施形態は、矢尻状の地面係合スパイク部６３と、平面状頭部６４とを有するティーを提供している。矢尻状の地面係合スパイク部６３は、移行ゾーン６５において平面状頭部６４と合体されている。移行ゾーン６５は、符号６６の孔が貫通してあけられ、符号６７で座ぐりされている。平面状頭部６４は、（図１４に最もよく示されるように）平面的には二等辺三角形であり、ここに、剛毛ふさ７０の配列が形成されている。剛毛ふさ７０の配列は、より硬い剛毛ふさからなるボール支持ふさ７１を取り囲んでいる。ボール支持ふさは、二等辺三角形の頭部６４の底辺側の方へ、矢尻状の地面係合スパイク部６３と軸線を同じくして配置されている。平面状頭部６４は、Ｏリング７３を収容する周縁インパクト分散溝７２を有している。
【００９５】
図１６〜図１９に示される実施形態は、長尺ティー７５および短尺ティー７６を備える組をなすティーを提供している。各長尺ティーおよび短尺ティーは、頭部７７を有し、この頭部は、ボール載せ面８０と、ゴムリング（図示せず）の有無にかかわらずインパクト分散を提供する一対の円周溝８１を有している。各長尺ティーおよび短尺ティーは、一体的な移行ゾーン８２を有し、この一体的な移行ゾーンは、コード（図示せず）によってこれらティーを相互連結するため、図１２に示したものと同様に、符号８３の孔が貫通してあけられている。長尺ティー７５は、尖端８６で終端する細長い本体８４を有し、一対の間隔をあけられた地面係合スパイク部８５と一体化されている。短尺ティー７６は、尖端９１で終端する比較的短い本体８７を有し、一対の間隔をあけられた地面係合スパイク部９０と一体化されている。各長尺ティーおよび短尺ティーは、間隔をあけられた各地面係合スパイク部８５、９０間の空間に伸び、空間９３を定める一対の向かい合った突起９２を有している。これら突起９２および空間９３の形状は、図１９に図示するように、長尺ティーおよび短尺ティーが一緒にクリップ式にクリップできるように選択される。
【００９６】
図２０〜図２３に示される実施形態は、長尺ティー９５および短尺ティー９６を備える組をなすティーを提供している。各長尺ティーおよび短尺ティーは、頭部９７を有し、この頭部は、ボール載せ面１００と、ゴムリング（図示せず）の有無にかかわらずインパクト分散を提供する複数個の円周溝１０１（それぞれ３個および２個）を有している。頭部９７は、インパクト分散を助けるために、ボール載せ面１００を貫通する盲孔１０２を有している。各長尺ティーおよび短尺ティーは、一体的な移行ゾーン１０３を有し、この一体的な移行ゾーンは、水かき状部１０５によって連結された平行な複数の脚部１０４を有し、コード（図示せず）によってこれらティーを相互連結できるようにするため、図１２に示したものと同様に、符号１０６の孔が貫通してあけられている。
【００９７】
長尺ティー９５は、細長い水かき状部１０５を有しており、平行な脚部１０４は、水かき状部１０５を越えて尖端１１０まで延び、一体化された一対のスパイク部１０７を形成する。スパイク部１０７は、所定の間隔で地面と係合される。短尺ティー９６は、比較的に短い水かき状部１０５を有する。各長尺ティーと短尺ティーは、相対する一対の尖端１１１を有する。尖端１１１は、所定の間隔で地面と係合される各スパイク部１０７の間の空間を延長し、水かき状部１０５の対応する開口１１２と係合するように適合されており、長尺ティーおよび短尺ティーをクリップ式に一緒にクリップることを可能にする。長尺ティー９５は、スパイク部１０７の一方に、クラブの表面を清掃するための尖端１１３を有する。
【００９８】
図２４〜図３１の実施形態は、長尺および短尺のティー１１５の変形例が提供されている。ティー１１５は、サーベル状地面係合ベース部１１６を有する。ベース部１１６は、比較的硬い成形プラスチックから形成され、略蟻溝状断面の上方拡張部１１７を有する。上方拡張部１１７は、一体的な孔部１２０を有する。上方拡張部１１７に隣接するベース部１１６の肩部は、相対する一対のランド部１２１を有する。ランド部１２１は、ティーの前方から頂点に向かってカーブし、頂点からティーの後方に向かって降下している。
【００９９】
ベース部１１６の上方においてショット成形されているのは、ボール載せ面１２３を有する弾性ティー頭部１２２である。弾性ティー頭部１２２は、相対するランド部１２１を包み、一体的な孔部１２０を塞いでいるため、弾性ティー頭部１２２は、成形プラスチックに対するショット成形ポリマーの自然な接着と連携し、ベース部１１６に確実に固定される。
【０１００】
弾性ティー頭部１２２およびサーベル状地面係合ベース部１１６は、ボール載せ面の有する垂直軸が、ベース部１１６の尖端１２４から変位するように構成されており、ティーと、クラブのインパクトの尖端におけるボールとの相互作用を制御する。各長尺ティーおよび短尺ティーは、一体的な移行ゾーン１２５を有する。移行ゾーン１２５は、図１２に示されるのと同様に、尖端１２６で、孔が形成されており、コード（不図示）によって、ティーと物品とを連結可能としている。
【０１０１】
図３２〜図３７の実施形態は、組立てることで複数のティータイプを形成するティー部品セットが提供される。ここで提供される長尺ティーコア部１３０は、比較的硬い材料からなり、下方マウントベース部１３１および細長幹部１３２を有している。細長幹部１３２の上端部は、一体的な孔部１３４を設けるための拡張部を有する。下方マウントベース部１３１は、プロファイルド凹部１３５を有する。プロファイルド凹部１３５は、地面係合ベース部材１３７上の対応する差込部１３６と係合する。
【０１０２】
細長幹部１３２の上方においてショット成形されている拡張部は、ボール載せ面１４１を有する弾性ティーボディ部１４０である。弾性ティーボディ部１４０は、幹部１３２を包み、一体的な孔部１３４を塞いでいる。したがって、弾性ティーボディ部１４０は、成形プラスチックに対するショット成形ポリマーの自然な接着と連携し、コア部１３０に対して確実に固定され、長尺の上方ティー部材を形成する。また、確実性を加えるために、位置決めスプルー部１３８が提供されている。
【０１０３】
地面係合ベース部材１３７は、差込部１３６の周囲にフランジ部１４２を有する。フランジ部の下方を延長するのは、長尺あるいは短尺である矢尻状地面係合スパイク部１４３である。地面係合ベース部材１３７のフランジ部１４２は、孔が形成されており、コード（不図示）によって、ティーと物品とを連結可能としている。
【０１０４】
図３５および図３６に示されるように、長尺の上方ティー部材を短尺とした相似体が提供されており、比較的硬い材料からなるティーマウント部１４４およびプロファイルド凹部（上述においては符号１３５）を有する。プロファイルド凹部は、地面係合ベース部材１３７上の対応する差込部１３６と係合するように適合されている。
【０１０５】
ティーマウント部１４４の上方においてショット成形されているのは、上述のように、ボール載せ面１４１を有する短尺の弾性ティーボディ部１４５である。弾性ティーボディ部１４５は、ティーマウント部１４４の上方関連部位を包んでいる。したがって、ティーマウント部１４４は、成形プラスチックに対するショット成形ポリマーの自然な接着および位置決めスプルー部１３８と連携し、ティーマウント部１４４に対して確実に固定され、短尺の上方ティー部材を形成する。
【０１０６】
図３９〜図４１に示される実施の形態は、矢尻状地面係合スパイク部１５０を有する長尺あるいは短尺のティーを提供している。スパイク部１５０は、移行ゾーン１５２を介し、略平面状頭部１５１と一体的に成形されている。移行ゾーン１５２は、図１２に示されるように、尖端１５１において貫通孔が形成されており、コードによって、物品と連結可能としている。略平面状頭部１５１は、平面図においては（図３９および図４１の夫々に最適に示されるように）八角形であり、略平行な剛毛ふさ１５４を有する。剛毛ふさ１５４は、略平面状頭部１５１に対して垂直であり、一対の同心状かつ環状配列を形成している。剛毛ふさ１５４の環状配列は、より大きい剛性を有する剛毛からなる中央ボール支持ふさ１５５を、取り囲んでいる。各配列は、円周上でオフセットしており、剛毛ふさの非常に一様な分布を提供している。略平面状頭部１５１は、環状のインパクト分配溝部１５６を有し、Ｏリング等を選択的に収容可能である。
【０１０７】
図４２〜図４６の実施形態は、図３９〜図４１の実施形態を六角形とした類似物であり、同様の機能を有する部材は、類似する符号を付す。これら実施形態では、略平面状頭部１５１は、六角形であり、剛毛ふさ１５４からなる単一の六角形に配置された環状配列を有する。剛毛ふさ１５４は、より大きい剛性を有する剛毛からなる中央ボール支持ふさ１５５を、取り囲んでいる。
【０１０８】
図４７〜図４９の実施形態は、長尺ティーおよび短尺ティーを有する一対のティーが提供される。長尺ティーは、比較的硬い材料からなる長尺ティーコア部１６０を有し、下方地面係合スパイク部１６１、移行部１６２および細長幹部１６３を有している。細長幹部１６３の上端部は、一体的な孔部１６４を設けるための拡張部を有し、また、その長さ方向に沿った幾分上に、一体的なフランジ部１６５を有する。
【０１０９】
細長幹部１６３の上方においてショット成形されている拡張部は、ボール載せ面１６７を有する弾性ティーボディ部１６６である。弾性ティーボディ部１６６は、幹部１６３およびフランジ部１６５を包み、一体的な孔部１６４を塞いでいる。したがって、弾性ティーボディ部１６６は、成形プラスチックに対するショット成形ポリマーの自然な接着と連携し、コア部１６０に対して確実に固定され、長尺ティーを形成する。移行部１６２は、孔が形成された突起１７０を有し、コード１７１によって、前記ティーとその短尺ティーとを連結可能としている。
【０１１０】
短尺ティーは、比較的硬い材料からなる短尺ティーコア部１７２を有し、下方矢尻状地面係合スパイク部１７３および、長尺ティーの場合と同様の移行部１６２を有している。短尺幹部１７４の上端部は、一体的な孔部１６４を収容するための拡張部を有する。短尺幹部１７４の上方においてショット成形されている拡張部は、長尺ティーに関して、ボール載せ面１６７を有する弾性短尺ティーボディ部１７５である。弾性短尺ティーボディ部１７５は、幹部１７４を包み、一体的な孔部１６４を塞いでいる。したがって、弾性ティーボディ部１７５は、成形プラスチックに対するショット成形ポリマーの自然な接着と連携し、コア部１７２に対して確実に固定され、短尺ティーを形成する。移行部１６２は、孔が形成された突起１７０を有し、コード１７１によって、前記ティーとその長尺ティーとを連結可能としている。
【０１１１】
図５０〜図５３に示される実施形態は、地面係合スパイク部材１８０および略平面状頭部部材１８１を有する２部品ティーが提供される。地面係合スパイク部材１８０は、下方尖端１８２および上方頭部係合部を有する。上方頭部係合部は、肩部１８３、幹部１８４および上方制止部１８５を有する。
【０１１２】
略平面状頭部部材１８１は、比較的弾性を有する材料から形成され、中央ボアを有している。中央ボアは、幹部１８４を収容する下部１８６と、上方制止部１８５を収容する上部１８７を有する。略平面状頭部部材１８１は、その上方における弾性変形によって、上方頭部係合部に取付けられ、取付けクリアランスは、ゴルフクラブによるインパクトの際に、略平面状頭部部材１８１と地面係合スパイク部材１８０との間の相対的な回転を許容するように選択されている。
【０１１３】
他の実施形態に係る図１２に示されるように、地面係合スパイク部材１８０は、孔１９０が形成されており、コードによって物品と連結可能とされている。略平面状頭部部材１８１は、剛毛ふさを設けるための孔部１９１の環状配列が形成され、剛毛ふさ（不図示）を収容するために適用される。地面係合スパイク部材１８０の上部は、軸孔１９２を有する。軸孔１９２は、中央ボール支持ふさ（不図示）を設け、材料の相対的な硬さに逆らって解放され、逃し溝１９３によりふさ設置を、補助する。
【０１１４】
図５３〜図５７の実施形態は、ブレード状地面係合ベース部２０１を有するティー２００の長尺および短尺の変形例が提供される。ベース部２０１は、比較的硬い成形プラスチックから形成されており、（２つの直交方向の）略蟻溝状断面の上方拡張部２０２を有する。上方拡張部２０２は、一体的な孔部２０３を有する。上方拡張部２０２に隣接するベース部の肩部は、一対の相対するランド部２０４を有する。ランド部２０４は、ティーの前面から頂点に向かってカーブし、頂点からティーの背面に向かって降下している。
【０１１５】
ベース部２０１の上方においてショット成形されているのは、ボール載せ面２０６を有する弾性ティー頭部２０５である。弾性ティー頭部２０５は、相対するランド部２０４を包み、かつ、一体的な孔部２０３を塞いでいる。したがって、弾性ティー頭部２０５は、成形プラスチックに対するショット成形ポリマーの自然な接着と連携し、ベース部２０５に確実に固定される。
【０１１６】
ブレード状地面係合ベース部２０１は、たがね状尖端２０７を有する。各長尺および短尺ティーは、一体的な移行ゾーン２１０を有する。一体的な移行ゾーン２１０は、図１２に示されるのと同様に、孔２１１が形成されており、コード（不図示）によって、ティーと物品とを連結可能としている。
【０１１７】
図５８〜図６６の実施形態は、ティー本体部材２２１を有するティー２２０の長尺および短尺の変形例が提供される。ティー本体部材２２１は、矢尻状地面係合スパイク部２２２、有肩移行ゾーン２２３およびティー頭部マウント部２２４を有する。ティー頭部マウント部２２４は、その上端に向う、３本の固定リブ２２５を有している。
【０１１８】
ティー頭部マウント部２２４の上方においてショット成形されているのは、ボール載せ面２２７を有する弾性ティー頭部２２６である。弾性ティー頭部２２６は、有肩移行ゾーン２２３からのティー頭部マウント部２２４を包む。したがって、弾性ティー頭部２２６は、成形プラスチックに対するショット成形ポリマーの自然な接着および３本の固定リブ２２５と連携し、ティー本体部材２２１に確実に固定される。
【０１１９】
図６１〜図６３の実施形態は、追加的なフレアー部２２８を有し、ショット成形されている本実施形態に付加的な確実性を提供する。
【０１２０】
各長尺および短尺ティーは、移行ゾーン２２３を有する。移行ゾーン２２３は、図１２に示されるのと同様に、孔２３０が形成されており、コード（不図示）によって、ティーと物品とを連結可能としている。
【０１２１】
ここにおいて説明された本発明は、ここに添付している特許請求の範囲に定義されている精神および範囲から逸脱することなく、種々改変することができることはいうまでもない。
【図面の簡単な説明】
【０１２２】
【図１】本発明のゴルフティー組立品図である。
【図２】本発明の更なるゴルフティー組立品図である。
【図３】本発明の更なるゴルフティー組立品図である。
【図４】本発明のゴルフティー組立品の一部である2つのボール載せ部材を示す図である。
【図５】本発明のゴルフティー組立品の一部である2つのボール載せ部材を示す図である。
【図６】本発明のゴルフティー組立品のためのアンカー部材の平面図および側面図である。
【図７】本発明のゴルフティー組立品のためのアンカー部材の平面図および側面図である。
【図８】本発明のゴルフティーである。
【図９】本発明のゴルフティーである。
【図１０】図９のティーの平面図である。
【図１１】図９のティーの端面図である。
【図１２】図８、９のティーの詳細図である。
【図１３】本発明のゴルフティーである。
【図１４】図１３のティーの平面図である。
【図１５】図１３のティーの断面図である。
【図１６】本発明のゴルフティーを示している。
【図１７】図１６のティーの断面図である。
【図１８】本発明のゴルフティーを示している。
【図１９】図１６、１８のティーの組立品の図である。
【図２０】本発明のゴルフティー/ツールを示している。
【図２１】図２０のティーの断面図である。
【図２２】本発明のゴルフティー/ツールを示している。
【図２３】図２２のティーの断面図である。
【図２４】本発明のゴルフティーを示している。
【図２５】図２４のティーの背面図である。
【図２６】図２４のティーの正面図である。
【図２７】本発明のゴルフティーを示している。
【図２８】図２７のティーの背面図である。
【図２９】図２７のティーの正面図である。
【図３０】図２７のティーの部分的な側面図である。
【図３１】図２７のティーの部分的な背面図である。
【図３２】本発明のゴルフティー・ボディである。
【図３３】図３２のティーボディのゴルフティー・ボディの要部である。
【図３４】図３２のティーボディと使用されるゴルフティー・ベースである。
【図３５】本発明のゴルフティー・ボディである。
【図３６】図３５のティーボディのゴルフティー・ボディの要部である。
【図３７】図３５のティーボディと使用されるゴルフティー・ベースである。
【図３８】本発明のゴルフティーである。
【図３９】図３８のティーの平面図である。
【図４０】本発明のゴルフティーである。
【図４１】図４０のティーの平面図である。
【図４２】本発明のゴルフティーである。
【図４３】図４２のティーの平面図である。
【図４４】本発明のゴルフティーである。
【図４５】図４４のティーの平面図である。
【図４６】図４２および４４のティーの詳細図である。
【図４７】本発明のゴルフティーの組立品である。
【図４８】図４７の組立品のゴルフティー・ボディの要部の図である。
【図４９】図４７の組立品を通る断面図である。
【図５０】本発明のゴルフティーのヘッドを通る断面図である。
【図５１】図５０のヘッドの平面図である。
【図５２】図５０のティーヘッド用としてのティー茎の側面図である。
【図５２】図５０のティーヘッドと用いられるティー軸の端面図である。
【図５３】本発明のゴルフティーの詳細側面図である。
【図５４】図５３のティーの軸の端面図である。
【図５５】本発明のゴルフティーの詳細側面図である。
【図５６】図５５のティーの軸の側面図である。
【図５７】図５５のティーの後部の端面図である。
【図５８】本発明のゴルフティーの詳細側面図である。
【図５９】図５８のティーの軸の側面図である。
【図６０】図５８のティーの軸の端面図である。
【図６１】本発明のゴルフティーの詳細側面図である。
【図６２】図６１のティーの軸の側面図である。
【図６３】図６１のティーの軸の端面図である。
【図６４】本発明のゴルフティーの詳細側面図である。
【図６５】図６４のティーの軸の側面図である。
【図６６】図６４のティーの軸の端面図である。
【図６７】ゴルフパッティングガイドである。
【図６８】ゴルフパッティング練習用カップである。
【図６９】２つ用ボールホルダーを示す図である。
【図７０】２つ用ボールホルダーを示す図である。
【図７１】２つ用ボールホルダーを示す図である。
【図７２】２つ用ボールホルダーを示す図である。
【図７３】１つ用ボールホルダーを示す図である。
【図７４】１つ用ボールホルダーを示す図である。
【図７５】１つ用ボールホルダーを示す図である。
【図７６】２つ用ボールホルダーを示している。
【図７７】２つ用ボールホルダーを示している。
【図７８】１つ用ボールホルダーを示している。
【図１】
2005528150.tif 000003
【図２】
2005528150.tif 000004
【図３】
2005528150.tif 000005
【図４】
2005528150.tif 000006
【図５】
2005528150.tif 000007
【図６】
2005528150.tif 000008
【図７】
2005528150.tif 000009
【図８】
2005528150.tif 000010
【図９】
2005528150.tif 000011
【図１０】
2005528150.tif 000012
【図１１】
2005528150.tif 000013
【図１２】
2005528150.tif 000014
【図１３】
2005528150.tif 000015
【図１４】
2005528150.tif 000016
【図１５】
2005528150.tif 000017
【図１６】
2005528150.tif 000018
【図１７】
2005528150.tif 000019
【図１８】
2005528150.tif 000020
【図１９】
2005528150.tif 000021
【図２０】
2005528150.tif 000022
【図２１】
2005528150.tif 000023
【図２２】
2005528150.tif 000024
【図２３】
2005528150.tif 000025
【図２４】
2005528150.tif 000026
【図２５】
2005528150.tif 000027
【図２６】
2005528150.tif 000028
【図２７】
2005528150.tif 000029
【図２８】
2005528150.tif 000030
【図２９】
2005528150.tif 000031
【図３０】
2005528150.tif 000032
【図３１】
2005528150.tif 000033
【図３２】
2005528150.tif 000034
【図３３】
2005528150.tif 000035
【図３４】
2005528150.tif 000036
【図３５】
2005528150.tif 000037
【図３６】
2005528150.tif 000038
【図３７】
2005528150.tif 000039
【図３８】
2005528150.tif 000040
【図３９】
2005528150.tif 000041
【図４０】
2005528150.tif 000042
【図４１】
2005528150.tif 000043
【図４２】
2005528150.tif 000044
【図４３】
2005528150.tif 000045
【図４４】
2005528150.tif 000046
【図４５】
2005528150.tif 000047
【図４６】
2005528150.tif 000048
【図４７】
2005528150.tif 000049
【図４８】
2005528150.tif 000050
【図４９】
2005528150.tif 000051
【図５０】
2005528150.tif 000052
【図５１】
2005528150.tif 000053
【図５２】
2005528150.tif 000054
【図５３】
2005528150.tif 000055
【図５３】
2005528150.tif 000056
【図５４】
2005528150.tif 000057
【図５５】
2005528150.tif 000058
【図５６】
2005528150.tif 000059
【図５７】
2005528150.tif 000060
【図５８】
2005528150.tif 000061
【図５９】
2005528150.tif 000062
【図６０】
2005528150.tif 000063
【図６１】
2005528150.tif 000064
【図６２】
2005528150.tif 000065
【図６３】
2005528150.tif 000066
【図６４】
2005528150.tif 000067
【図６５】
2005528150.tif 000068
【図６６】
2005528150.tif 000069
【図６７】
2005528150.tif 000070
【図６８】
2005528150.tif 000071
【図６９】
2005528150.tif 000072
【図７０】
2005528150.tif 000073
【図７１】
2005528150.tif 000074
【図７２】
2005528150.tif 000075
【図７３】
2005528150.tif 000076
【図７４】
2005528150.tif 000077
【図７５】
2005528150.tif 000078
【図７６】
2005528150.tif 000079
【図７７】
2005528150.tif 000080
【図７８】
2005528150.tif 000081
【手続補正書】
【提出日】平成16年8月24日(2004.8.24)
【手続補正１】
【補正対象書類名】特許請求の範囲
【補正対象項目名】全文
【補正方法】変更
【補正の内容】
【特許請求の範囲】
【請求項１】
地面係合スパイク部を有する本体部材と、弾性ボール載せ部材を係合するのに適合した上方部と、を有し、前記ボール載せ部材は、前記ボールをラテラリにおく剛毛ふさの環状配列が設けられた上面を有し、前記上方部は、前記環状配列の内側の実質的に中央で、前記ボール載せ部材を通って伸び、前記剛毛ふさでゴルフボールの垂直支持を形成するように、前記上方部の頂部に設けられ孔と係合するボール支持挿入部が設けられたゴルフティー。
【請求項２】
前記上方部および弾性ボール載せ部材は、相互補完的な外形を有し、当該相互補完的な外形が相互にパチンとスナップするまで前記ボール載せ部材を弾性変形することによって、前記上方部に係合される請求項１に記載のゴルフティー。
【請求項３】
前記ボール載せ挿入部は、挿入可能な剛毛ふさのアッセンブリからなる請求項１に記載のゴルフティー。
【請求項４】
前記ボール載せ部材は、剛毛ふさの環状配列が設けられた上方が実質的に平坦な面を有する環状ボディを有している請求項１〜３のいずれか１つに記載のゴルフティー。
【請求項５】
前記環状ボディは、前記上方部に設けられる対応する環状溝と係合するように構成され、前記係合が前記ボール載せ部材の弾力のある付勢力に抗して行なわれ、前記環状ボディが前記環状溝に回転可能に嵌め込まれ、これにより、前記環状ボディを叩打するクラブヘッドのインパクトエネルギーの一部が前記環状ボディを前記上方部のまわりで回転させることによって消される請求項４に記載のゴルフティー。
【請求項６】
前記環は、実質的に、丸、三角形、四角形、矩形、あるいは八角形の中から選択される形状を有する請求項１〜５のいずれか１つに記載のゴルフティー。
【請求項７】
前記環は、１つの頂点部分を持つ形状を有し、実質的に中央の上方部と本体部材の共軸が前記頂点部分の方へ位置がずれている請求項６に記載のゴルフティー。
【請求項８】
地面係合スパイク部を有する本体部材と、上方ボール載せ部とを有し、前記ボール載せ部は、複数の剛毛ふさが設けられた上面を有しており、前記剛毛ふさは、前記上面にわたって実質的に均一に分布され、それぞれ前記スパイク部の軸に実質的に平行に伸びており、前記ふさは、当該ふさの上端が実質的に凹形状のボール載せ面を形成するように選択された長さを有してなる、ゴルフティー。
【請求項９】
前記多数の剛毛ふさは、丸、三角形、正方形、矩形、または八角形から選択された配列に形成している請求項８に記載のゴルフティー。
【請求項１０】
前記環は、１つの頂点部分を持つ形状を有し、実質的に中央の上方部と本体部材の共軸が前記頂点部分の方へ位置がずれている請求項９に記載のゴルフティー。
【請求項１１】
前記地面係合スパイク部は、簡素な尖端または矢尻尖端から選択された尖端を有する前記請求項のいずれか１つに記載のゴルフティー。
【請求項１２】
ボール載せ面を有するエラストマのボール載せ部材と係合する上方部を備えた本体部材を有し、前記ボール載せ面には前記上方部が地面係合部に向かって下方に伸び、前記上方部と前記エラストマのボール載せ部材との間の前記係合は、側面と断面の双方において蟻溝断面の弓状舌片と、前記エラストマのボール載せ部材に形成された補完的な凹部とを有してなるゴルフティー。
【請求項１３】
前記地面係合部は、スパイク部、またはブレード部を有する請求項１２に記載のゴルフティー。
【請求項１４】
前記地面係合部は、地面結合ブレード部の平面に実質的に配置されたブレード部と弓状舌片を有する請求項１３に記載のゴルフティー。
【請求項１５】
前記エラストマのボール支持は、前記上方部の下に伸び、一方の側では次第に大きくなり、他方の側では使用時に方向を示す隠れた舌片となる請求項１２〜１４のいずれか１つに記載のゴルフティー。
【請求項１６】
ボール載せ部材の下方および上方に伸延する上方部が上に備えられたボール受け面を有する弾性のあるボール載せ部材と係合するのに適した上方部を有する本体部材と、使用時に垂直方向尖端を形成するように、前記上方部から延びて収斂する前端部および後端部を備える地面結合ブレード部と、を有し、これにより前記尖端が前記ボール載せ上のボールの垂直軸線から前端方向にずれるゴルフティー。
【請求項１７】
使用時に、ボール受け面の中心を通る垂直軸線からの前記尖端のずれは、ティー全長の約１２〜２５％である請求項１６に記載のゴルフティー。
【請求項１８】
前記ブレード部は、対称形であるかまたは先端に向かって変位している翼弦形状をした実質的に薄片のブレードからなる請求項１３〜１８のいずれか１つに記載のゴルフティー。
【請求項１９】
前記地面結合ブレード部のボール載せ面から離れた外方端部は、尖端、たがね状尖端あるいは湾曲した端部で終端する請求項１２〜１８のいずれか１つに記載のゴルフティー。
【請求項２０】
前記ボール載せ部材は、本体部材を有している型にエラストマの成形材料をショット成形することによって、舌片を備えた形状に成形される請求項１２〜１９のいずれか１つに記載のゴルフティー。
【請求項２１】
地面係合部材と、ボール載せ部を有する本体部材とを有し、前記地面係合部材は、前記本体部材と磁気的に係合するゴルフティーアッセンブリ。
【請求項２２】
前記地面係合部材は、１以上の地面挿入スパイク部を有する請求項２１に記載のゴルフティーアッセンブリ。
【請求項２３】
前記地面係合部材は、地面上に座るのに適している請求項２１に記載のゴルフティーアッセンブリ。
【請求項２４】
前記地面係合部材は、実質的に平坦な上方部を有し、頭蓋上方部は、使用中にボール場所マーカーを形成するため地面よ実質的に同一平面に置かれる請求項２３に記載のゴルフティーアッセンブリ。
【請求項２５】
前記地面係合部材は、使用中地面に盛り上がりに立つ上方部を有し、頭蓋上方部は使用中のゴルフボールを支えるボール載せ面を有する請求項２３に記載のゴルフティーアッセンブリ。
【請求項２６】
前記ボール載せ面は、剛毛ふさアッセンブリを有し、使用中に、前記地面係合部材が、ゴルフボールを支えるために本体部材がない場合、使うことができる請求項２５に記載のゴルフティーアッセンブリ。
【請求項２７】
前記磁気的係合は、前記地面係合部材と前記本体部材の各々に成形された磁気的活性要素による請求項２１〜２６のいずれか１つに記載のゴルフティーアッセンブリ。
【請求項２８】
使用時に、第1のボール載せ部材の頂部又は付加的に配置される1つ以上のボール載せ部材を有する請求項２１〜２７のいずれか１つに記載のゴルフティーアッセンブリ。
【請求項２９】
前記本体部材の上方部は、弾性インパクト手段を有する請求項２１〜２８のいずれか１つに記載のゴルフティーアッセンブリ。
【請求項３０】
前記本体部材は、１以上のポリマー材料で実質的に形成される前記請求項のいずれか１つに記載のゴルフティー。
【請求項３１】
前記本体部材は、当該本体部材が付属品と連結される連結コードを受け入れる通路を有する前記請求項のいずれか１つに記載のゴルフティー。
【請求項３２】
前記付属品は、引っぱり装置、アンカー装置、ゴルファーのディボットツール、別のティーから選択される請求項３１に記載のゴルフティー。
【請求項３３】
前記付属品は、本発明に係るティーである請求項３２に記載のゴルフティー。
【請求項３４】
前記連結コードは、他のもののアンカーとして使用される一対のティーうちの1つを許容できる長さを有し、クラブヘッドで叩打されるとき、ティーの射程方向の推力に抗する請求項３３に記載のゴルフティー。
【請求項３５】
実質的に平行で一対が間隔をもって置かれた地面係合スパイク部と上部ボール載せ部を有する一体化された本体部材を有し、前記ボール載せ部材は、上部ボール載せ面を有し、前記本体部材は、前記スパイク部上に連結コードを受け入れる通路を有し、これによって前記本体部材がペアで連結されるゴルフティー。
【請求項３６】
前記連結コードは、他のもののアンカーとして使用される一対のティーうちの1つを許容できる長さを有し、クラブヘッドで叩打されるとき、ティーの射程方向の推力に抗する請求項３５に記載のゴルフティー。
【請求項３９】
間隔を開けて設けられ、実質的に平行である一対のドレッシング・スパイク部および上方部ボール載せ部材を有する一体化された本体部材を有するゴルフティーとボールマーク修復ツールの複合体であり、前記ボール載せ部は、上方部ボール載せ表面を有し、前記本体部材は、複数の前記スパイク部間に形成された水かき状部を有し、当該水かき状部の少なくとも１側面には凹部が形成され、前記スパイク部の少なくとも１つは、前記凹部に補完する尖端部を有し、これにより一対のボールマーク修復ツールが各ツールのスパイクの交差面で各スパイクが互いにクリップされるゴルフティーとボールマーク修復ツールの複合体。
【請求項４０】
第２の前記一対のボールマーク修復ツールは、前記水かき状部と付随の凹部が形成されず、前記スパイク部のうち少なくとも１つは、第１のツールの凹部を補完する尖端部を有し、これにより前記一対の異なるボールマーク修復ツールが共にクリップされる請求項４０に記載のゴルフティーとボールマーク修復ツールの複合体。
【請求項４１】
前記本体部材は、前記スパイク部上に連結コードを受け入れる通路を有し、これにより前記本体部材のそれぞれのものが対で連結される請求項３９または請求項４０に記載のゴルフティーとボールマーク修復ツールの複合体。
【請求項４２】
前記本体部材は、クラブフェイスの溝からごみを掃除する、一体的に形成された突出部が設けられた請求項３９〜４１のいずれか１つに記載のゴルフティーとボールマーク修復ツールの複合体。
【請求項４３】
前記スパイク部の一方または両方は、当該スパイク部の外側に位置されかつ該スパイク部の外端に配置された、一体的に形成された前記突出を有する請求項４２に記載のゴルフティーとボールマーク修復ツールの複合体。
【請求項４４】
前記一体化された本体部材は、ポリマー材で形成される請求項３５〜４３に記載のゴルフティー。
【請求項４５】
前記一体化された本体部材の上方部は、弾性的なインパクト手段を備えている請求項４４に記載のゴルフティー。
【請求項４６】
パターのために望ましい経路を定義する少なくとも一対の実質的に平行なガイドライン、および前記ガイドラインの間でかつ横断してそれぞれが伸延する少なくとも２つの間隔が開いたバックスウィングガイドラインがその上に印し付けられ、地面に重量をかけるように成形されたエラストマのマットを有し、当該成形されたエラストマのマットは、パッティンググリーンをシミュレーションするために複数の均一に分布された上昇部、点在された複数の凹部を備えた模様付きの表面を有し、一対の伸延する側面部が前記マットへ固定されかつ当該側面部間で前記パターの経路からの逸脱限界を定義するパッティング補助具
【請求項４７】
地面等に設置されるベース部を有する本体部材と、前記本体部材と共働しかつ使用時にボールのインパクトによる変位に対し前記本体部材を前記地面等に固定する係合手段と、使用時に前記地面等に実質的に鋭利な端部で前記ベース部と合致しかつ他端部または両端部で境界が形成される傾斜した上面と、を有し、前記本体部材が前記傾斜した上面を挿通して設けられた目標孔を有しているパッティングカップ装置。
【請求項４８】
弾性的な本体部材を有し、この本体部材は、その上に形成されかつ両外端部の間で当該外端部をつなぐ想像線に対し垂直方向に円周の半分以上、４分の１以下伸延された部分的球状の水かき状部を有し、これにより、ゴルフボールが、その弾性的なバイアスによって前記水かき状部の凹面に固定され、ボールマーキングステンシル部材が、ゴルフボールを配置する部分的球状座面を挿通する所定形状の穴を有し、複数の係合手段が、前記外端部および前記ステンシルと共働し、前記外端部と保持されたボールの表面に隣接する部分と間の前記球状の座面に着脱自在に係合するボールホルダー。
【請求項４９】
弾性的な本体部材を有し、この本体部材は、その上に形成されかつ両外端部の間で当該外端部をつなぐ想像線に対し垂直方向に円周の半分以上、４分の１以下伸延された部分的球状の水かき状部を有するボールホルダーであって、複数のボールホルダー部材を有し、当該部材は、それらの中央部が回転支持され、前記部材が縮小されている第１の位置と前記部材が相互に垂直な第２の位置の間が回転可能であり、前記部材上の前記ピボットについての横溝は、前記部材上のピボットについて、前記想像線に沿って方向付けられる対応キーを受けて適応し、前記キーは、前記第２の位置に前記部材に開放可能に固定するために、弾性バイアスにより前記溝部に維持されるボールホルダー。
【国際調査報告】
2005528150.tif 000082
2005528150.tif 000083
2005528150.tif 000084
2005528150.tif 000085
2005528150.tif 000086